(57)【要約】【課題】粘着シートを容易に切り離すことができる粘着ロールを提供する。【解決手段】基材シートの一方の面に粘着剤層を有する粘着シート２と、粘着シート２を巻き付けるための巻芯４と、を備え、粘着剤層を表側にして、粘着シート２が巻芯４に巻き付けられた粘着ロール１である。粘着ロール１には、粘着ロール１の表面側から巻芯４まで至る、複数の長孔６が形成され、複数の長孔６は、互いが接することなく、平行に配置され、かつ、端部の領域が粘着シート２の巻き付け方向Ｄにおいて一部重なり合うように階段状に配置されている。【選択図】図２
2020081714.tif 000002
【特許請求の範囲】
【請求項１】
基材シートの一方の面に粘着剤層を有する粘着シートと、前記粘着シートを巻き付けるための巻芯と、を備え、
前記粘着剤層を表側にして、前記粘着シートが前記巻芯に巻き付けられた粘着ロールであって、
前記粘着ロールは、前記粘着ロールの表面側から前記巻芯まで至る複数の長孔を有し、
前記複数の長孔は、互いが接することなく、平行に配置され、かつ、端部の領域が前記粘着シートの巻き付け方向において一部重なり合うように階段状に配置されていることを特徴とする粘着ロール。
【請求項２】
前記複数の長孔が、前記粘着シートの巻き付け方向と直交する方向に向かって配置されている請求項１に記載の粘着ロール。
【請求項３】
前記複数の長孔が、前記粘着シートの巻き付け方向に対して斜め方向に向かって配置されている請求項１に記載の粘着ロール。
【請求項４】
前記粘着ロールの一の側縁部に、前記粘着ロールの表面側から前記巻芯まで至る楔型の切欠部が形成され、
前記切欠部および前記複数の長孔が、互いに接することなく配置され、かつ、端部の領域が前記粘着シートの巻き付け方向において一部重なり合うように階段状に配置されている請求項１から３までのいずれか一項に記載の粘着ロール。
【請求項５】
前記粘着ロールの他の側縁部に、前記粘着ロールの表面側から前記巻芯まで至るスリットが形成され、
前記複数の長孔および前記スリットが、互いに接することなく、平行に配置され、かつ、端部の領域が前記粘着シートの巻き付け方向において一部重なり合うように階段状に配置されている請求項１から３までのいずれか一項に記載の粘着ロール。
【請求項６】
前記巻芯の表面に、くじの結果が表示されている請求項１から５までのいずれか一項に記載の粘着ロール。
【発明の詳細な説明】
【技術分野】
【０００１】
本発明は室内清掃に用いられる粘着ロールに関する。
【背景技術】
【０００２】
室内の床掃除の用具として、粘着ロールを装着した粘着クリーナーが広く知られている。粘着ローラは、基材シートの一方の面に粘着剤層を有する粘着シートを、粘着剤層を表側にして、筒状の巻芯に巻き付けてなる。
【０００３】
一般に、このような粘着ロールには、粘着シートの巻き付け方向と直交する方向に向かって多数の切れ目（スリット）が形成されている。このように、粘着シートに切れ目が形成されていることによって、粘着ロールから粘着シートの一部を剥離し、切れ目の部分で切り離して廃棄することができる。これにより、粘着ロールは新たな粘着面が露出し、再度、清掃に使用することが可能となる。
【０００４】
例えば、粘着ロールの一の側縁部から他の側縁部に向かって、真っ直ぐにミシン目を設けた粘着ロールが知られている（特許文献１参照）。また、切り取り線用の切れ目を段違いに設けた粘着ロールが知られている（特許文献２参照）。さらに、切り取り線用の切れ目を段違いに、かつ、斜め方向に設けた粘着ロールが知られている（特許文献３参照）。
【先行技術文献】
【特許文献】
【０００５】
【特許文献１】実用新案登録第３１４０１５８号公報
【特許文献２】特開２００２−２２４０１１号公報
【特許文献３】実用新案登録第３０８６９０８号公報
【発明の概要】
【発明が解決しようとする課題】
【０００６】
しかし、特許文献１乃至３に記載された粘着ロールは、粘着ロールの表面に、長い髪の毛等が巻き付いてしまうと、その髪の毛が粘着シートの切り離しを妨げる場合があった。
【０００７】
本発明は、前記のような従来技術の課題を解決するためになされたものであり、粘着シートを容易に切り離すことができる粘着ロールを提供することを目的とする。より詳細には、粘着ロールの切り離しに関連するシート部分への長い髪の毛等の付着を低減し、また、粘着ロールの切り離しに関連するシート部分に長い髪の毛が付着した場合であっても、粘着シートの切り離しを容易にする。
【課題を解決するための手段】
【０００８】
本発明の粘着ロールは、基材シートの一方の面に粘着剤層を有する粘着シートと、前記粘着シートを巻き付けるための巻芯と、を備え、前記粘着剤層を表側にして、前記粘着シートが前記巻芯に巻き付けられた粘着ロールであって、前記粘着ロールには、前記粘着ロールの表面側から前記巻芯まで至る、複数の長孔が形成され、前記複数の長孔は、互いが接することなく、平行に配置され、かつ、端部の領域が前記粘着シートの巻き付け方向において一部重なり合うように階段状に配置されていることを特徴とする。
【０００９】
本発明の粘着ロールは、前記複数の長孔が、前記粘着シートの巻き付け方向と直交する方向に向かって配置されている、または、前記複数の長孔が、前記粘着シートの巻き付け方向に対して斜め方向に向かって配置されていることが好ましい。
【００１０】
本発明の粘着ロールは、その一の側縁部に、前記粘着ロールの表面側から前記巻芯まで至る楔型の切欠部が形成され、前記切欠部および前記複数の長孔が、互いに接することなく配置され、かつ、端部の領域が前記粘着シートの巻き付け方向において一部重なり合うように階段状に配置されていることが好ましい。
【００１１】
本発明の粘着ロールは、その他の側縁部に、前記粘着ロールの表面側から前記巻芯まで至るスリットが形成され、前記複数の長孔および前記スリットが、互いに接することなく、平行に配置され、かつ、端部の領域が前記粘着シートの巻き付け方向において一部重なり合うように階段状に配置されていることが好ましい。
【００１２】
本発明の粘着ロールは、前記巻芯の表面に、くじの結果が表示されていることが好ましい。
【発明の効果】
【００１３】
本発明によれば、粘着ロールの切り離しに関連するシート部分への長い髪の毛等の付着を低減し、また、粘着ロールの切り離しに関連するシート部分に長い髪の毛が付着した場合であっても、粘着シートの切り離しを容易にすることができる。
【図面の簡単な説明】
【００１４】
【図１】本発明の粘着ロールの使用状態を示す図である。
【図２】図１の粘着ロールの一の実施形態を模式的に示す斜視図である。
【図３】図２の巻芯を示す斜視図である。
【図４】図１の粘着ロールの他の実施形態を模式的に示す斜視図である。
【発明を実施するための形態】
【００１５】
以下、図面を参照しながら、本発明の粘着ロールについて説明する。但し、同一の要素については同一の符号を付し、その説明を省略する。
【００１６】
図１に示すように、本発明の粘着ロール１は、典型的には、鉤形の柄の先端に設けられたローラに装着され、主に室内の床掃除に使用されるものである。
【００１７】
図１、図２に示すように、粘着ロール１は、粘着シート２と巻芯４とを備える。粘着シート２は、粘着剤層を表側になるように、巻芯４に巻き付けられている。
【００１８】
巻芯４は、粘着シート２を巻き付けるための芯材である。形状については特に限定されない。例えば巻芯４は円筒状に構成される。材質についても特に限定されない。例えば、厚紙、プラスチック等、粘着シートを巻き付けるために十分な強度を有するものであればよい。
【００１９】
図３に示すように、巻芯４の表面には、くじの結果が表示されていることが好ましい。このような構成とすると、粘着シート２を使い切った際にくじの結果が表れ、粘着ロール１を使用する遊戯性を向上させることができる。くじの結果の表示方法は特に限定されない。例えば、「あたり」、「はずれ」等の文字を巻芯４の表面に印刷する方法等を挙げることができる。
【００２０】
粘着シート２は、基材シートの一方の面に粘着剤層を有する粘着性を有するシートである。基材シートの幅については、粘着ロールの目的に応じて適宜設定すればよく、特に限定されない。例えば、９ｃｍから３０ｃｍに構成すればよい。
【００２１】
基材シートの材質についても特に限定されない。例えば、紙、プラスチックシート等の可撓性材料を好適に用いることができる。本発明の粘着ロール１においては、基材シートの一方の面には粘着剤層が形成され、他方の面には粘着剤層が形成されない。そして、基材シートの粘着剤層が形成されない方の面には剥離剤層が形成されていることが好ましい。例えば、シリコーン系の剥離剤からなる剥離剤層が形成されていることにより、粘着ロール１から粘着シート２を剥離することが容易となる。
【００２２】
図１、図２に示すように、粘着ロール１には、粘着ロール１の表面側から巻芯４まで至る、複数、ここでは同形、同寸の３つの長孔６が形成されている。なお、長孔６の数は複数（即ち２以上）であれば、特に３つに限定されることはない。「粘着ロールの表面側から巻芯まで至る」とは、ロール状に巻き付けられた粘着シート２に形成された長孔が巻芯まで貫通していることを意味する。複数の長孔６は、互いが接することなく、平行に配置されている。言い換えれば、複数の長孔６およびその延長線が平行に配置され、相互に交差しない状態となっていることを意味する。
【００２３】
長孔６は一定の幅を有する孔である。長孔６は粘着シート２の幅に収まるように（即ち粘着シート２の側縁に至らないように）その長さが決められている。長孔６が粘着シート２の側縁に至るように形成されていると、粘着ロール１の側縁側から粘着シート２が意図せず剥離してしまうおそれがあるため好ましくない。典型的には、長孔６は幅５ｍｍに形成されている。但し、長孔の幅については、特に限定されない。髪の毛が浮いた状態になる隙間が形成されていればよく、例えば、長孔６の幅は２ｍｍ以上８ｍｍ以下とすることが好ましい。
【００２４】
長孔６は幅１０ｍｍずつ間隔をとって配置されている。但し、長孔同士の間隔については、特に限定されない。粘着シート２の切り離しが容易な程度に近接して長孔６が配置されていれば足りる。例えば、５ｍｍ以上１５ｍｍ以下とすることが好ましい。
【００２５】
そして、複数の長孔６は、端部の領域が粘着シート２の巻き付け方向Ｄにおいて一部重なり合うように階段状に配置されている。「階段状」とは、複数の長孔６が段違いに配置され、かつ、粘着シート２の一の側縁部から他の側縁部に向かうに連れて、複数の長孔６が徐々に段を下げていく形状を意味する。
【００２６】
図２の１点鎖線に示すように、粘着ロール１においては、長孔６は粘着シート２の巻き付け方向Ｄにおいて幅１０ｍｍずつ重なるように配置されている。但し、長孔同士の重なり幅については、特に限定されない。粘着シートの切り離しが容易な程度に長孔同士が重なって配置されていれば足りる。例えば、５ｍｍ以上１５ｍｍ以下とすることが好ましい。
【００２７】
本発明の粘着ロールの他の実施形態としては、図４に示す粘着ロール１００のように、複数の長孔１０６が、粘着シート１０２の巻き付け方向Ｄと直交する方向（つまり、粘着シート１０２の幅方向と平行）に配置されている形態を挙げることができる。但し、図１および図２に示す粘着ロール１のように、複数の長孔６が、粘着シート２の巻き付け方向Ｄに対して斜め方向に向かって配置されていることが好ましい。このような構成とすることで、少ない力で容易に粘着シートを切り離すことが可能となる。
【００２８】
粘着シート２の巻き付け方向Ｄに対する長孔６の傾斜角度は１０°に設定されている。但し、粘着シートの巻き付け方向に対する傾斜角度については特に限定されない。巻き付け方向に対して傾斜がついていれば足りる。例えば、５°以上２０°以下とすることが好ましい。
【００２９】
粘着ロール１においては、粘着ロール１の一の側縁部に、粘着ロール１の表面側から巻芯４まで至る楔型の切欠部８が形成されている。この切欠部８を形成することにより、粘着シート２を剥がす際の始点が分かり易くなる。
【００３０】
「楔型」とは、Ｖ字型を意味する。切欠部８は長孔６に近い方の辺（粘着シート２の端部側）が粘着シート２の巻き付け方向Ｄと直交する方向に位置し、粘着シート２の長孔６から遠い方の辺（粘着シート２の巻き元側）は巻き付け方向Ｄから傾斜する方向に位置するＶ字型に形成されている。切欠部８の上記形状により、粘着シート２の剥がす方向をユーザに示唆することができる。
【００３１】
粘着ロール１においては、切欠部８は粘着シート２の側縁から幅方向中央側に２０ｍｍ食い込むように形成されている。但し、切欠部８のサイズについては、特に限定されない。粘着シート２の切り離しが容易で、粘着シート２を剥がす際の始点が分かり易くなる程度のサイズであれば足りる。例えば、１５ｍｍ以上２５ｍｍ以下とすることが好ましい。
【００３２】
そして、切欠部８および複数の長孔６が、互いに接することなく配置されている。粘着ロール１においては、切欠部８が粘着シート２の巻き元側に、複数の長孔６は粘着シート２の端部側に配置されている。このような形態であれば、切欠部８から複数の長孔６方向に粘着シート２を破断することにより、粘着シート２を切り離すことができる。
【００３３】
また、切欠部８および複数の長孔６は、端部の領域が粘着シート２の巻き付け方向Ｄにおいて一部重なり合うように階段状に配置されている。粘着ロール１においては、図中右端の長孔６と切欠部８が一部重なり合うように階段状に配置されている。「階段状」の意義は長孔６同士の場合と同義である。
【００３４】
粘着ロール１においては、長孔６と切欠部８が粘着シート２の巻き付け方向Ｄにおいて幅５ｍｍずつ重なるように配置されている。但し、長孔と切欠部の重なり幅については、特に限定されない。粘着シートの切り離しが容易な程度に長孔と切欠部が重なって配置されていれば足りる。例えば、３ｍｍ以上７ｍｍ以下とすることが好ましい。
【００３５】
粘着ロール１においては、粘着ロール１の他の側縁部（切欠部８が形成されていない方の側縁部）に、粘着ロール１の表面側から巻芯４まで至るスリット１０が形成されている。このスリット１０を形成することにより、粘着シート２の意図しない剥離を防止しつつ、粘着シート２の切り離しが容易になる。
【００３６】
「スリット」とは、線状の切り込みを意味する。実質的に幅を有しない点において、本発明にいう「長孔」とは異なる。
【００３７】
粘着ロール１においては、スリット１０は粘着シート２の側縁から幅方向中央側に２０ｍｍ食い込むように形成されている。但し、スリット１０のサイズについては、特に限定されない。粘着シート２の切り離しが容易となる程度のサイズであれば足りる。例えば、１５ｍｍ以上２５ｍｍ以下とすることが好ましい。
【００３８】
そして、複数の長孔６およびスリット１０が、互いに接することなく、平行に配置されている。言い換えれば、複数の長孔６およびその延長線、スリット１０およびその延長線が平行に配置され、相互に交差しない状態となっていることを意味する。
【００３９】
粘着ロール１においては、複数の長孔６は粘着シート２の巻き元側に、スリット１０が粘着シート２の端部側に配置されている。このような形態であれば、複数の長孔６の方向からスリット１０の方向に粘着シート２を破断することにより、粘着シート２を切り離すことができる。
【００４０】
また、切欠部８および複数の長孔６は、端部の領域が粘着シート２の巻き付け方向Ｄにおいて一部重なり合うように階段状に配置されている。粘着ロール１においては、図中右端の長孔６と切欠部８が一部重なり合うように階段状に配置されている。「階段状」の意義は長孔６同士の場合と同義である。
【００４１】
粘着ロール１においては、長孔６とスリット１０が粘着シート２の巻き付け方向Ｄにおいて幅５ｍｍずつ重なるように配置されている。但し、長孔とスリットの重なり幅については、特に限定されない。粘着シートの切り離しが容易な程度に長孔とスリットが重なって配置されていれば足りる。例えば、３ｍｍ以上７ｍｍ以下とすることが好ましい。
【００４２】
以上説明した本発明に係る粘着ロールには、以下の作用効果がある。  
すなわち、粘着ロール１の一方の側縁から他方に側縁にかけて切欠部８、複数の長孔６及びスリット１０の順番で、一部が重なり合うように階段状に配置される。これにより、粘着ロール１の表面に表れる使用済の粘着シート２を剥がすとき、ユーザは階段の上側に位置する切欠部８から階段の下側に位置するスリット１０に向かって、巻き付け方向Ｄに平行な向きに、粘着シート２を剥がしていくだけでよい。このとき、切欠部８と隣接する長孔６との重なり合う部分に対応する粘着シート部分が巻き付け方向Ｄに平行な向きに破れ、次に長孔６同士が重なり部分に対応する粘着シート２が巻き付け方向Ｄに平行な向きに破れ、最後に長孔６とスリット１０との重なり合う部分に対応する粘着シート２が巻き付け方向Ｄに平行な向きに破れる。すなわち、ユーザが実質的に破る箇所は、４箇所だけでよく、従来の粘着ロールに比べて非常に少ない工数で粘着シート２を剥がすことができる。また、切欠部８、複数の長孔６及びスリット１０の重なり合う部分がある程度の長さを有するため、ユーザは方向を気にすることなく破ることができ、つまり簡単に粘着シート２を破ることができる。
【００４３】
本発明の粘着ロールは、粘着シートを切り離すための手段としてスリット（切り込み）ではなく、長孔が形成されている。
【００４４】
粘着シートを切り離すための手段としてスリット（切り込み）が形成されている場合、長い髪の毛が実質的な隙間がほとんどないスリットを跨ぐように粘着ロールの表面に巻き付いてしまうと、その髪の毛がスリットを跨いで強固に粘着シート２に張りついてしまう。粘着シート２を剥がす際に、髪の毛がストッパーとして機能してしまい、粘着シートの切り離しを妨げるおそれがある。
【００４５】
一方、本発明のように、幅のないスリットではなく、幅を有する長孔６を形成すると、長い髪の毛が長孔６を跨ぐように巻き付いてしまった場合でも、長孔６の部分で髪の毛が浮いている状態となる。このため、粘着シートを切り離そうとする力が髪の毛の方向にも作用し、髪の毛が粘着シートの表面から剥がれ易くなる。この効果は、複数の長孔６が巻き付け方向Ｄに対して傾斜している方が高い。従って、粘着シートの切り離しが妨げられることがなく、容易に粘着シートを切り離すことができる。
【００４６】
さらに、幅のないスリットではなく、幅を有する長孔６を形成すると、切欠部８、長孔６及びスリット１０の重なり合う部分への髪の毛等の付着を軽減することができる。特に、長孔６同士が重なり合う部分において、剥がす際の主な障害物となる長い髪の毛等は長孔６を２つ跨ぐ必要がある。しかし、長孔６を２つ跨ぐということは、粘着面が少なくなり、長い髪の毛が付着する可能性を低減する。つまり、幅のある長孔６を階段状に、一部重なるように配置することによって、長孔６同士の重なり合う部分への髪の毛等の付着を低減することができる。既に説明したように、ユーザが粘着シート２を剥がす際、その重なり合う部分を破ることになる。その重なり合う部分に付着物がなければ、ユーザは簡単に粘着シート２を破ることができる。
【００４７】
本発明の粘着ロールの製造方法は特に限定されない。例えば、基材シートの一方の面に粘着剤層を有する粘着シートを巻芯に対して巻き付けた後、ロール状の粘着シートの所望の位置を打ち抜いて長孔や切欠部を形成し、ロール状の粘着シートの所望の位置に切り込みを入れてスリットを形成する等の方法により製造することができる。
【産業上の利用可能性】
【００４８】
本発明の粘着ロールは、室内清掃用の粘着ロールとして好適に用いることができる。
【符号の説明】
【００４９】
１，１００：粘着ロール、２，１０２：粘着シート、４：巻芯、６，１０６：長孔、８：切欠部、１０：スリット、Ｄ：粘着シートの巻き付け方向。
【図１】
2020081714.tif 000003
【図２】
2020081714.tif 000004
【図３】
2020081714.tif 000005
【図４】
2020081714.tif 000006
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
基材シートの一方の面に粘着剤層を有する粘着シートと、前記粘着シートを巻き付けるための巻芯と、を備え、
前記粘着剤層を表側にして、前記粘着シートが前記巻芯に巻き付けられた粘着ロールであって、
前記粘着ロールの一の側縁部に、前記粘着ロールの表面側から前記巻芯まで至る短手方向の幅が１５ｍｍ以上２５ｍｍ以下の切欠部が形成され、
前記粘着ロールは、前記粘着ロールの表面側から前記巻芯まで至る、短手方向の幅が２ｍｍ以上８ｍｍ以下の複数の長孔を有し、
前記複数の長孔は、互いが接することなく、平行に配置され、かつ、端部の領域が前記粘着シートの巻き付け方向において一部重なり合うように階段状に配置され、
前記長孔は、粘着シートの側縁に至らず、粘着シートの幅に収まるように配置されており、
前記粘着ロールの他の側縁部に、前記粘着ロールの表面側から前記巻芯まで至る線状の切り込みであるスリットが形成され、
前記複数の長孔および前記スリットが、互いに接することなく、平行に配置され、かつ、端部の領域が前記粘着シートの巻き付け方向において一部重なり合うように階段状に配置されており、
階段の上側に位置する前記切欠部から複数の長孔方向に、階段の下側に位置する前記スリットに向かって破断することを特徴とする粘着ロール。
【請求項２】
前記複数の長孔が、前記粘着シートの巻き付け方向と直交する方向に向かって配置されている請求項１に記載の粘着ロール。
【請求項３】
前記複数の長孔が、前記粘着シートの巻き付け方向に対して斜め方向に向かって配置されている請求項１に記載の粘着ロール。
【請求項４】
前記粘着ロールの一の側縁部に、前記粘着ロールの表面側から前記巻芯まで至る楔型の切欠部が形成され、
前記切欠部および前記複数の長孔が、互いに接することなく配置され、かつ、端部の領域が前記粘着シートの巻き付け方向において一部重なり合うように階段状に配置されている請求項１から３までのいずれか一項に記載の粘着ロール。
【請求項５】
前記巻芯の表面に、くじの結果が表示されている請求項１から４までのいずれか一項に記載の粘着ロール。
【請求項６】
基材シートの一方の面に粘着剤層を有する粘着シートと、前記粘着シートを巻き付けるための巻芯と、を備え、
前記粘着剤層を表側にして、前記粘着シートが前記巻芯に巻き付けられた粘着ロールであって、
前記粘着ロールの一の側縁部に、前記粘着ロールの表面側から前記巻芯まで至る線状の切り込みであるスリットが形成され、
前記粘着ロールは、前記粘着ロールの表面側から前記巻芯まで至る、短手方向の幅が２ｍｍ以上８ｍｍ以下の複数の長孔を有し、
前記複数の長孔は、互いが接することなく、平行に配置され、かつ、端部の領域が前記粘着シートの巻き付け方向において一部重なり合うように階段状に配置され、
前記長孔は、粘着シートの側縁に至らず、粘着シートの幅に収まるように配置されており、
前記粘着ロールの他の側縁部に、前記粘着ロールの表面側から前記巻芯まで至る線状の切り込みであるスリットが形成され、
前記複数の長孔および前記スリットが、互いに接することなく、平行に配置され、かつ、端部の領域が前記粘着シートの巻き付け方向において一部重なり合うように階段状に配置されており、
階段の上側に位置する前記切欠部から複数の長孔方向に、階段の下側に位置する前記スリットに向かって破断することを特徴とする粘着ロール。
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
基材シートの一方の面に粘着剤層を有する粘着シートと、前記粘着シートを巻き付けるための巻芯と、を備え、
前記粘着剤層を表側にして、前記粘着シートが前記巻芯に巻き付けられた粘着ロールであって、
前記粘着ロールの一の側縁部に、前記粘着ロールの表面側から前記巻芯まで至る短手方向の幅が１５ｍｍ以上２５ｍｍ以下の切欠部が形成され、
前記粘着ロールは、前記粘着ロールの表面側から前記巻芯まで至る、短手方向の幅が２ｍｍ以上８ｍｍ以下の複数の長孔を有し、
前記複数の長孔は、互いが接することなく、平行に配置され、かつ、端部の領域が前記粘着シートの巻き付け方向において一部重なり合うように階段状に配置され、
前記長孔は、粘着シートの側縁に至らず、粘着シートの幅に収まるように配置されており、
前記粘着ロールの他の側縁部に、前記粘着ロールの表面側から前記巻芯まで至る線状の切り込みであるスリットが形成され、
前記複数の長孔および前記スリットが、互いに接することなく、平行に配置され、かつ、端部の領域が前記粘着シートの巻き付け方向において一部重なり合うように階段状に配置されており、
階段の上側に位置する前記切欠部から複数の長孔方向に、階段の下側に位置する前記スリットに向かって破断することを特徴とする粘着ロール。
【請求項２】
前記複数の長孔が、前記粘着シートの巻き付け方向と直交する方向に向かって配置されている請求項１に記載の粘着ロール。
【請求項３】
前記複数の長孔が、前記粘着シートの巻き付け方向に対して斜め方向に向かって配置されている請求項１に記載の粘着ロール。
【請求項４】
前記粘着ロールの一の側縁部に、前記粘着ロールの表面側から前記巻芯まで至る楔型の切欠部が形成され、
前記切欠部および前記複数の長孔が、互いに接することなく配置され、かつ、端部の領域が前記粘着シートの巻き付け方向において一部重なり合うように階段状に配置されている請求項１から３までのいずれか一項に記載の粘着ロール。
【請求項５】
前記巻芯の表面に、くじの結果が表示されている請求項１から４までのいずれか一項に記載の粘着ロール。